(57)【特許請求の範囲】
【請求項１】
長手方向に延在する水平状の取付け板部と、該取付け板部の一側縁から垂直状に立上がる仕切り板部とを備えた断面Ｌ形の長尺状金属薄板からなり、人工地盤に固定される仕切り材と、
根通し口が形成された長尺状金属薄板からなり、前記取付け板部上に植生マットを介して配設されて人工地盤に固定される押え部材と
を備えてなることを特徴とする植栽用仕切り装置。
【請求項２】
長手方向に延在する水平状の取付け板部と、該取付け板部の一側縁から垂直状に立上がる仕切り板部とを備えた断面Ｌ形の長尺状金属薄板からなり、取付け板部に固定杆挿通用の複数の透孔が長手方向に沿って形成された仕切り材と、
前記取付け板部と略同一形状の帯板状押え部を備えた長尺状金属薄板からなり、その長手方向に沿って複数の根通し口が形成され、かつ、該根通し口間で前記取付け板部の透孔に一致する位置に固定杆の挿通孔が形成されて、前記取付け板部上に植生マットを介して配設される押え部材と
を備えてなることを特徴とする植栽用仕切り装置。
【請求項３】
仕切り材の取付け板部に、該取付け板部の透孔を除く部分に位置させて、奥縁が仕切り板部の下端近傍に至る開口形状の複数の切欠口を長手方向に沿って形成し、該切欠口の、仕切り板部に対向する外側傍部に生じる狭幅状連結縁を、必要に応じて切断される切断代とする一方、押え部材の、帯板状押え部の一側縁に、仕切り材の仕切り板部に沿って立上がる立上り縁を形成し、押え部材の根通し口を、その奥縁が該立上り縁の下端近傍に至る開口形状とするとともに、該根通し口の、立上り縁に対向する外側傍部に生じる狭幅状連結縁を、必要に応じて切断される切断代としたことを特徴とする請求項２に記載した植栽用仕切り装置。
【発明の詳細な説明】
【０００１】
【発明の属する技術分野】
本発明は、屋上等の人工地盤上における植栽の施工に用いる植栽用仕切り装置に関する。
【０００２】
【従来の技術】
一般に、屋上緑化等でビルの屋上等の人工地盤上において植栽を行う場合、従来工法では、植栽領域の縁部に沿って縁石等の縁取り壁を設置して植栽領域を仕切り、この縁取り壁によって、植栽領域内に敷設される植生マットの外端を位置決めするようにしている。
【０００３】
【発明が解決しようとする課題】
ところで、上記植生マットは、人工土壌をマット状に成形したものであり、植物の栽培床として使用されるが、人工地盤上での荷重軽減のために軽量化されている。而して、植栽領域内に敷設された植生マットは、適宜間隔で上方から挿通される複数のビス等によって人工地盤に固定されるが、点固定であるため、特に外端部分にあってはビス等で固定されていない部分が軽量のために浮き上がって捲れてしまうという問題点がある。そこで、従来は、植生マットの外端部上に玉砂利を載せたり、ネットや針金を張設したりして、外端部の浮き上がりを防止するようにしているのであるが、このような手段は便宜的手段であり、面倒で作業効率が悪い上、時間経過に伴なって玉砂利が移動したり、ネットや針金が劣化や腐食により延びたり切れたりして、その浮き上がり防止作用が得られなくなってしまうことが多いため、根本的な解決手段が望まれていた。
【０００４】
本発明は、かかる従来の実状に鑑みてその解決を試みたものであって、植栽領域を仕切り、該植栽領域内に敷設される植生マットの外端部を位置決めし得るとともに、該外端部の浮き上がりを防止し得るようにした植栽用仕切り装置を提供することを目的とするものである。
【０００５】
【課題を解決するための手段】
本発明は、長手方向に延在する水平状の取付け板部と、該取付け板部の一側縁から垂直状に立上がる仕切り板部とを備えた断面Ｌ形の長尺状金属薄板からなり、人工地盤に固定される仕切り材と、根通し口が形成された長尺状金属薄板からなり、前記取付け板部上に植生マットを介して配設されて人工地盤に固定される押え部材とを備えてなることを特徴とする植栽用仕切り装置である。
【０００６】
ここで、仕切り材の人工地盤に対する固定は、人工地盤に立設した螺子杆からなる固定杆を取付け板部に挿通させ、その突出端側にナットを螺合して固定する固定手段や、取付け板部に挿通したビスからなる固定杆の下端を人工地盤に埋入したプラグに螺合させて固定する固定手段等を用いることができる。また、押え部材の固定も同様の固定手段により行うことができる。
【０００７】
かかる構成にあって、仕切り材の取付け板部を、植栽領域の縁部となる人工地盤上に固定手段を介して固定することにより、仕切り材の仕切り板部が植栽領域の縁部に沿って立設し、該仕切り板部によって植栽領域の縁部を仕切ることができる。この仕切り板部で仕切られた植栽領域内に植生マットを敷設することにより、該植生マットの外端部を位置決めすることができる。そして、この植生マットの外端部上に押え部材を載置し、該押え部材を固定手段を介して人工地盤に固定することにより、植生マットの外端部全体が長尺状金属薄板からなる押え部材によって面固定されることとなり、これによって、植生マットの外端部の浮き上がりを防止することができる。
【０００８】
また、この施工状態にあって、植生マット上に植物群が植え付けられるが、押え部材上に位置する植物群は、押え部材に形成されている根通し口から植生マットへ根を延ばすことができるので、その根付きに何ら支障を来すことがなく、さらに、該根通し口によって通水性、通気性を確保することができる。尚、この植物群としては、マット状に育成された芝，苔類が好適であり、このようなマット状の植物群を用いることによって、押え部材を覆い隠すことができる。
【０００９】
また、本発明は、長手方向に延在する水平状の取付け板部と、該取付け板部の一側縁から垂直状に立上がる仕切り板部とを備えた断面Ｌ形の長尺状金属薄板からなり、取付け板部に固定杆挿通用の複数の透孔が長手方向に沿って形成された仕切り材と、該取付け板部と略同一形状の帯板状押え部を備えた長尺状金属薄板からなり、その長手方向に沿って複数の根通し口が形成され、かつ、該根通し口間で前記取付け板部の透孔に一致する位置に固定杆の挿通孔が形成されて、前記取付け板部上に植生マットを介して配設される押え部材とを備えてなることを特徴とする植栽用仕切り装置である。
【００１０】
かかる構成にあっては、上記と同様に、仕切り材の仕切り板部によって植栽領域の縁部を仕切ることができ、この仕切り板部によって、植栽領域内に敷設される植生マットの外端部を位置決めし得るとともに、植生マットの外端部全体を長尺状金属薄板からなる押え部材によって面固定し得るので、植生マットの外端部の浮き上がりを防止することができる。これに加えて、仕切り材の取付け板部に固定杆挿通用の複数の透孔が予め形成され、また、押え部材には該透孔と一致する位置に固定杆の挿通孔が予め形成されていることにより、施工現場でこれらの孔の形成加工をする必要がなく、仕切り材及び押え部材の固定作業を迅速かつ容易に行うことができる。
【００１１】
また、上記構成において、仕切り材の取付け板部に、該取付け板部の透孔を除く部分に位置させて、奥縁が仕切り板部の下端近傍に至る開口形状の複数の切欠口を長手方向に沿って形成し、該切欠口の、仕切り板部に対向する外側傍部に生じる狭幅状連結縁を、必要に応じて切断される切断代とする一方、押え部材の、帯板状押え部の一側縁に、仕切り材の仕切り板部に沿って立上がる立上り縁を形成し、押え部材の根通し口を、その奥縁が該立上り縁の下端近傍に至る開口形状とするとともに、該根通し口の、立上り縁に対向する外側傍部に生じる狭幅状連結縁を、必要に応じて切断される切断代とする構成が提案され得る。
【００１２】
かかる構成にあっては、押え部材と、仕切り材の取付け板部とに夫々設けられた切断代としての狭幅状連結縁を切断することにより、押え部材と、仕切り材とを夫々自由に湾曲させることができ、金属薄板の塑性変形によってその湾曲状態が保持される。これにより、植栽領域の縁部を曲線状に施工する場合にも対応し得るものとなる。
【００１３】
【発明の実施の形態】
以下に、本発明に係る植栽用仕切り装置の第一実施例を、図１，図２について説明する。
植栽用仕切り装置１は、仕切り材２と押え部材３とにより構成されている。仕切り材２は、断面Ｌ形の長尺状金属薄板４からなり、長尺な帯板状の金属薄板を断面Ｌ形に折曲したものである。この長尺状金属薄板４の素材としては、長さ2000mm程度，幅 125mm程度，厚さ 1.2mm程度のステンレス，スチール等の鋼板が好適に使用され得る。この長尺状金属薄板４は、長手方向に延在する水平状の取付け板部５と、該取付け板部５の一側縁から垂直状に立上がる仕切り板部６とを備えており、取付け板部５には、後述する固定杆７を挿通するための複数の透孔８が長手方向に沿って所定間隔で形成されている。また、仕切り板部６には、ヘミング曲げ加工によりその上端を折返して補強縁９が形成されている。そして、該補強縁９により、仕切り板部６の強度を向上させ、その堅牢性をさらに高めるとともに、安全性を向上させ、仕切り板部６の上端で手を切るような不具合を防止し得るようにしている。さらに、仕切り板部６の下端には、複数の排水口１４が長手方向に沿って形成されている。
【００１４】
一方、押え部材３は、前記取付け板部５上に後述する植生マットＭを介して配設されるものであって、該押え部材３は、前記取付け板部５と略同一形状の帯板状押え部１０を備えた長尺状金属薄板１１からなり、その長手方向に沿って複数の矩形状を呈する根通し口１２が所定間隔で形成されている。また、該根通し口１２間で前記取付け板部５の透孔８に一致する位置に固定杆７の挿通孔１３が形成されている。
【００１５】
上述の仕切り材２を製造するには、まず、帯板状の金属薄板に、プレス装置による打ち抜き加工によって透孔８と排水口１４を同時に形成し、次に該金属薄板の仕切り板部６となる一縁側の端部をプレス装置によるヘミング曲げ加工によって折返して補強縁９を形成する。この後、金属薄板の幅方向の略中間部をプレス装置による曲げ加工によって略直角に折曲する。これにより、仕切り材２を簡単に製造することができる。また、押え部材３は、長尺状金属薄板１１に、プレス装置による打ち抜き加工によって根通し口１２と挿通孔１３とを同時に形成することにより、簡単に製造することができる。
【００１６】
図３，図４は、かかる構成からなる植栽用仕切り装置１を用いた、屋上等の人工地盤Ｇ上における植栽の施工状態を示す。このような施工を行うには、まず、植栽領域の縁部に沿って仕切り材２を固定手段を介して固定する。この固定手段は、人工地盤Ｇに埋入したプラグ１５に下端部を螺着して立設される螺子杆からなる固定杆１６と、該固定杆１６に螺合されるナット１７ａ，１７ｂとからなり、前記プラグ１５は、取付け板部５の透孔８に一致する位置に埋入される。そして、該プラグ１５を介して人工地盤Ｇに立設された固定杆１６を、取付け板部５の透孔８に挿通させ、その突出端側にナット１７ａを螺合して緊締することによって取付け板部５を人工地盤Ｇに固定するようにしている。ここで、取付け板部５は、植栽領域の内側に位置するように配置される。これにより、仕切り材２の仕切り板部６が植栽領域の縁部に沿って立設し、該仕切り板部６によって植栽領域の縁部を直線状に仕切ることができる。
【００１７】
次に、仕切り板部６で仕切られた植栽領域内に植生マットＭを敷設する。この時、該植生マットＭの外端部を仕切り板部６に当接させることにより、該植生マットＭの外端部を位置決めすることができる。また、該植生マットＭには前記固定杆１６を挿通させて上方に突出させておく。そして、最後に押え部材３の挿通孔１３に前記固定杆１６を挿通させた状態で、該押え部材３を植生マットＭの外端部上に載置し、固定杆１６の突出端側にナット１７ｂを螺合して緊締することにより、押え部材３を固定する。これにより、押え部材３の帯板状押え部１０によって植生マットＭの外端部全体が面固定され、植生マットＭの外端部の浮き上がりが防止されることとなる。尚、植生マットＭの外端部以外の部分は、適宜間隔で上方から挿通される複数のビス等によって人工地盤Ｇに固定される。
【００１８】
この施工状態にあって、植生マットＭ上に植物群Ｓが植え付けられるが、押え部材３上に位置する植物群Ｓは、押え部材３に形成されている根通し口１２から植生マットＭへ根を延ばすことができる。これにより、その根付きに何ら支障を来すことがない。さらに、該根通し口１２によって通水性、通気性を確保することができる。また、仕切り板部６の下端に形成されている複数の排水口１４によって、植生マットＭに含浸される雨水等の余剰水を自然排水させることができる。尚、植物群Ｓとしては、マット状に育成された芝，苔類が好適に用いられ得る。このようなマット状の植物群Ｓを用いることによって、押え部材３が覆い隠され、人目につくことがない。
【００１９】
尚、この実施例では、仕切り材２の取付け板部５と、押え部材３とに、透孔８と挿通孔１３を予め夫々形成するようにしているが、これらの孔は施工現場において形成することも可能である。而して、実施例のように予め透孔８と挿通孔１３を形成しておくことにより、施工現場でこれらの孔加工を行う必要がないため、仕切り材２及び押え部材３の固定作業を迅速かつ容易に行うことが可能となる。
【００２０】
図５は、第二実施例を示し、この実施例は、植栽用仕切り装置１を、植栽領域の縁部を曲線状に施工する場合にも対応し得るようにしたものである。
即ち、仕切り材２の取付け板部５には、該取付け板部５の透孔８を除く部分に位置させて、矩形状を呈する複数の切欠口１８が長手方向に沿って形成されている。各切欠口１８は、その一辺が仕切り板部６の下端に位置するように配設されており、これによって、該切欠口１８を、その奥縁１８’が仕切り板部６の下端近傍に至る開口形状となるようにしている。そして、この切欠口１８の形成により、仕切り板部６に対向する各切欠口１８の外側傍部に狭幅状連結縁１９を夫々生じさせて、各狭幅状連結縁１９を必要に応じて切断し得る切断代２０としている。そして、この切断代２０を切断することにより、取付け板部５の抵抗を受けることなく、仕切り板部６をその厚み方向に容易に湾曲させ得るようになっている。また、各狭幅状連結縁１９の外縁には、その切断時に金鋸を係合し得る係合溝２１が形成されており、該係合溝２１によって金鋸を位置決めし、その切断作業を容易に行い得るようにしている。さらに、一部の切欠口１８は、仕切り板部６の下端に開口を生じるように形成されており、該開口が排水口１４となっている。
【００２１】
一方、押え部材３には、帯板状押え部１０の一側縁に、仕切り材２の仕切り板部６に沿って立上がる立上り縁２２が形成されており、矩形状を呈する各根通し口１２の一辺が該立上り縁２２の下端に位置するように配設されている。これにより、該根通し口１２を、その奥縁１２’が立上り縁２２の下端近傍に至る開口形状となるようにしている。また、各根通し口１２の、立上り縁２２に対向する外側傍部に狭幅状連結縁２３を夫々生じさせて、各狭幅状連結縁２３を必要に応じて切断し得る切断代２４としている。そして、この切断代２４を切断することにより、帯板状押え部１０の抵抗を受けることなく、立上り縁２２をその厚み方向に容易に湾曲させ得るようになっている。また、各狭幅状連結縁１９の外縁には、その切断時に金鋸を係合し得る係合溝２５が形成されている。その他の構成は第一実施例と同じであり、同一部分に同一符号を付して重複する説明を省略する。
【００２２】
かかる構成にあって、植栽領域の縁部を曲線状に施工する場合には、仕切り材２の取付け板部５に設けられた切断代２０としての狭幅状連結縁１９と、押え部材３の帯板状押え部１０に設けられた切断代２４としての狭幅状連結縁２３を夫々切断することにより、図６イ，ロに示すように、仕切り材２及び押え部材３を自由に湾曲させることができる。ここで、仕切り材２及び押え部材３が金属薄板製であることにより、その塑性変形によって湾曲状態が保持され、植栽領域の縁部の曲線形状に簡単に一致させることができる。また、切欠口１８が、その奥縁１８’が仕切り板部６の下端近傍に至る開口形状となっており、根通し口１２が、その奥縁１２’が立上り縁２２の下端近傍に至る開口形状となっていることにより、狭幅状連結縁１９，２３を夫々切断すると、仕切り材２は、取付け板部５の抵抗を受けることなく、仕切り板部６をその厚み方向へ容易に湾曲させることができるとともに、押え部材３は、帯板状押え部１０の抵抗を受けることなく、立上り縁２２をその厚み方向に容易に湾曲させることができる。
【００２３】
そして、このように予め湾曲させた仕切り材２を、図７，図８に示すように、第一実施例と同様に、固定杆１６と該固定杆１６に螺合されるナット１７ａとによって人工地盤Ｇに固定することにより、仕切り板部６が植栽領域の縁部に沿って立設し、該仕切り板部６によって植栽領域の縁部を曲線状に仕切ることができる。そして、このように曲線状に仕切られた植栽領域内に植生マットＭを敷設して、略同一曲線状に加工した植生マットＭの外端部を仕切り板部６に当接させることにより、植生マットＭの外端部を位置決めすることができる。さらに、該植生マットＭの外端部上に押え部材３を載置して、固定杆１６に螺合されるナット１７ｂによって押え部材３を固定することにより、押え部材３の帯板状押え部１０によって植生マットＭの外端部全体が面固定され、植生マットＭの外端部の浮き上がりを防止することができる。これにより、植栽領域の縁部を所望の曲線形状に仕上げることができる。
【００２４】
また、図９イ，ロに示すように、狭幅状連結縁１９，２３の一箇所のみを切断して、仕切り材２及び押え部材３を略直角に折曲することにより、植栽領域のコーナー部の施工にも容易に対応することができる。
【００２５】
また、上記のように、仕切り材２及び押え部材３を湾曲もしくは折曲することなく、直線状のまま用いることにより、第一実施例と同様に植栽領域の縁部を直線状に仕上げる場合にも対応し得るものとなる。
【００２６】
尚、上記第一実施例及び第二実施例にあっては、仕切り材２及び押え部材３の固定手段として、人工地盤Ｇに埋入したプラグ１５に下端部を螺着して立設される螺子杆からなる固定杆１６と、該固定杆１６に螺合されるナット１７ａ，１７ｂとにより構成されたものを用いているが、固定手段はこれに限定されるものではない。例えば、図１０に示すように、仕切り材２の透孔８に上方から挿通したビスからなる固定杆１６を、人工地盤Ｇに埋入したプラグ２７に螺合させて仕切り材２を固定するとともに、他の位置で押え部材３の挿通孔１３と仕切り材２の透孔８とに上方から挿通したビスからなる固定杆１６’を人工地盤Ｇに埋入したプラグ２７’に螺合させて押え部材３を固定することも可能である。また、図１１に示すように、仕切り材２の取付け板部５を両面接着テープ２８によって人工地盤Ｇに固定するとともに、該仕切り材２の取付け板部５上にナット１７ａを溶接等により固着し、該ナット１７ａに螺着して立設される螺子杆からなる固定杆１６を押え部材３の挿通孔１３に挿通させた状態で、その突出端側に螺合されるナット１７ｂによって押え部材３を固定するようにしてもよい。
【００２７】
【発明の効果】
本発明は、上述したように、長手方向に延在する水平状の取付け板部５と、該取付け板部５の一側縁から垂直状に立上がる仕切り板部６とを備えた断面Ｌ形の長尺状金属薄板４からなり、人工地盤Ｇに固定される仕切り材２と、根通し口１２が形成された長尺状金属薄板１１からなり、前記取付け板部５上に植生マットＭを介して配設されて人工地盤Ｇに固定される押え部材３とを備えてなることを特徴とする植栽用仕切り装置１であるから、仕切り材２の取付け板部５を、植栽領域の縁部となる人工地盤Ｇ上に固定することにより、仕切り材２の仕切り板部６が植栽領域の縁部に沿って立設し、該仕切り板部６によって植栽領域の縁部を仕切ることができ、この仕切り板部６で仕切られた植栽領域内に植生マットＭを敷設することにより、該植生マットＭの外端部を位置決めすることができる。そして、この植生マットＭの外端部上に押え部材３を載置し、該押え部材３を人工地盤Ｇに固定することにより、植生マットＭの外端部全体が長尺状金属薄板１１からなる押え部材３によって面固定されることとなり、これによって、植生マットＭの外端部の浮き上がりを防止することができる。
【００２８】
また、この施工状態にあって、植生マットＭ上に植物群Ｓが植え付けられるが、押え部材３上に位置する植物群Ｓは、押え部材３に形成されている根通し口１２から植生マットＭへ根を延ばすことができるので、その根付きに何ら支障を来すことがなく、また、該根通し口１２によって通水性、通気性を確保することができる。さらに、この植物群Ｓとしてマット状の植物群を用いることによって、押え部材３を覆い隠すことができる。
【００２９】
また、本発明は、長手方向に延在する水平状の取付け板部５と、該取付け板部５の一側縁から垂直状に立上がる仕切り板部６とを備えた断面Ｌ形の長尺状金属薄板４からなり、取付け板部５に固定杆１６を挿通するための複数の透孔８が長手方向に沿って形成された仕切り材２と、前記取付け板部５と略同一形状の帯板状押え部１０を備えた長尺状金属薄板１１からなり、その長手方向に沿って複数の根通し口１２が形成され、かつ、該根通し口１２間で前記取付け板部５の透孔８に一致する位置に固定杆１６の挿通孔１３が形成されて、前記取付け板部５上に植生マットＭを介して配設される押え部材３とを備えてなることを特徴とする植栽用仕切り装置１であるから、上記と同様に、仕切り材２の仕切り板部６によって植栽領域の縁部を仕切ることができ、この仕切り板部６によって、植栽領域内に敷設される植生マットＭの外端部を位置決めし得るとともに、植生マットＭの外端部全体を長尺状金属薄板１１からなる押え部材３によって面固定し得るので、植生マットＭの外端部の浮き上がりを防止することができる。これに加えて、仕切り材２の取付け板部５に固定杆１６を挿通するための複数の透孔８が予め形成され、また、押え部材３には該透孔８と一致する位置に固定杆１６の挿通孔１３が予め形成されていることにより、施工現場でこれらの孔の形成加工をする必要がなく、仕切り材２及び押え部材３の固定作業を迅速かつ容易に行うことができる。
【００３０】
さらに前記構成にあって、仕切り材２の取付け板部５に、該取付け板部５の透孔８を除く部分に位置させて、奥縁１８’が仕切り板部６の下端近傍に至る開口形状の複数の切欠口１８を長手方向に沿って形成し、該切欠口１８の、仕切り板部６に対向する外側傍部に生じる狭幅状連結縁１９を、必要に応じて切断される切断代２０とする一方、押え部材３の、帯板状押え部１０の一側縁に、仕切り材２の仕切り板部６に沿って立上がる立上り縁２２を形成し、押え部材３の根通し口１２を、その奥縁１２’が該立上り縁２２の下端近傍に至る開口形状とするとともに、該根通し口１２の、立上り縁２２に対向する外側傍部に生じる狭幅状連結縁２３を、必要に応じて切断される切断代２４としたから、押え部材３と、仕切り材２の取付け板部５とに夫々設けられた狭幅状連結縁１９，２３を適宜切断することにより、押え部材３と、仕切り材２とを夫々自由に湾曲させることができ、金属薄板の塑性変形によってその湾曲状態を保持させることができる。これにより、植栽領域の縁部の曲線状の施工にも容易に対応し得る等の優れた効果がある。
【図面の簡単な説明】
【図１】本発明の第一実施例に係る植栽用仕切り装置の平面図である。
【図２】同上の植栽用仕切り装置を構成する仕切り材と押え部材の分離状態の斜視図である。
【図３】同上の植栽用仕切り装置の施工状態を示す側断面図である。
【図４】同上の植栽用仕切り装置の施工状態を示す斜視図である。
【図５】第二実施例に係る植栽用仕切り装置を構成する仕切り材と押え部材の分離状態の斜視図である。
【図６】同上の植栽用仕切り装置を湾曲させた状態を示す平面図である。
【図７】同上の植栽用仕切り装置の施工状態を示す側断面図である。
【図８】同上の植栽用仕切り装置の施工状態を示す斜視図である。
【図９】同上の植栽用仕切り装置を略直角に折曲した状態を示す平面図である。
【図１０】他の固定手段による施工状態の縦断面図である。
【図１１】他の固定手段による施工状態の側断面図である。
【符号の説明】
１  植栽用仕切り装置
２  仕切り材
３  押え部材
４  長尺状金属薄板
５  取付け板部
６  仕切り板部
８  透孔
１０  帯板状押え部
１１  長尺状金属薄板
１２  根通し口
１２’奥縁
１３  挿通孔
１６  固定杆
１８  切欠口
１８’奥縁
１９  狭幅状連結縁
２２  立上り縁
２３  狭幅状連結縁
２４  切断代
Ｇ  人工地盤
Ｍ  植生マット
Ｓ  植物群
【図１】
0004500394.tif 000002
【図２】
0004500394.tif 000003
【図３】
0004500394.tif 000004
【図４】
0004500394.tif 000005
【図５】
0004500394.tif 000006
【図６】
0004500394.tif 000007
【図７】
0004500394.tif 000008
【図８】
0004500394.tif 000009
【図９】
0004500394.tif 000010
【図１０】
0004500394.tif 000011
【図１１】
0004500394.tif 000012